(57)【要約】      （修正有）【課題】魚類のあたりの把握の容易化とともに、魚類のあたり状態を視認性良く認識可能としつつ、あたり状態の範囲（或いは、はば）を一層広げることができ、更には、風や水流の影響を受けにくく起立安定性に優れた釣り用棒浮きを提供する。【解決手段】釣り用棒浮き１は、浮き本体２と、浮き本体２の上部に着脱自在に装着するようにした浮きトップ部３と、を具備し、浮き本体２の上端側に蛍光色のゴムチューブからなる蛍光体筒体部１１を配置するとともに、浮き本体２の下部側に錘部材１３を配置した。【選択図】図１
0003233839.tif 000002
【実用新案登録請求の範囲】
【請求項１】
釣り用棒浮きを構成する浮き本体と、この浮き本体の上部に着脱自在に装着するようにした浮きトップ部と、を具備し、
前記浮き本体の上端側に、蛍光色のゴムチューブから構成した蛍光体筒部を配置したこと、
を特徴とする釣り用棒浮き。
【請求項２】
釣り用棒浮きを構成する浮き本体と、この浮き本体の上部に着脱自在に装着するようにした浮きトップ部と、を具備し、
前記浮き本体の上端側に、蛍光色のゴムチューブから構成した蛍光体筒部を配置するとともに、前記浮き本体の上部側、及び下部側に錘部材をそれぞれ分離配置に仕込んだ構成としたこと、
を特徴とする釣り用棒浮き。
【請求項３】
釣り用棒浮きを構成する浮き本体と、この浮き本体の上部に着脱自在に装着するようにした浮きトップ部と、を具備し、浮き本体及び浮きトップ部を太径型とした釣り用棒浮きであって、
前記浮き本体の上端側に蛍光色のゴムチューブから構成した蛍光体筒部を配置するとともに、前記浮き本体の上部側、及び下部側に錘部材をそれぞれ分離配置に仕込み、
前記浮きトップ部の蛍光体筒部を直接浮き本体の上端部に装着する構成としたことを特徴とする釣り用棒浮き。
【請求項４】
釣り用棒浮きを構成する浮き本体と、この浮き本体の上部に着脱自在に装着するようにした浮きトップ部と、を具備し、浮き本体及び浮きトップ部を細径型とした釣り用棒浮きであって、
前記浮き本体の上端側を、蛍光色からなる蛍光体筒部を装着補助筒部の外周に配置した二重構造とするとともに、前記浮き本体の上端側に蛍光色のゴムチューブから構成した蛍光体筒部を配置し、前記浮き本体の上部側、及び下部側に錘部材をそれぞれ分離配置に仕込み、
前記浮きトップ部の蛍光体筒部を、前記装着補助筒部を介して浮き本体の上端部に着脱自在に装着するように構成としたことを特徴とする釣り用棒浮き。
【考案の詳細な説明】
【技術分野】
【０００１】
本考案は、釣り用棒浮きに関するものであり、詳しくは、魚類のあたりの把握の容易化とともに、魚類のあたり状態を視認性良く認識可能としつつ、あたり状態の範囲（或いは、はば）を一層広げることができ、釣り行為時の棒浮き自体の揺動安定性の向上を図った釣り用棒浮きに関するものである。
【背景技術】
【０００２】
従来から、釣りにおいては棒浮きタイプが多く用いられているが、棒浮きタイプは、水面に棒が立設するものであるので、比較的視認性には優れ、魚類のあたりに対する敏感な感度を捉えることが可能ではあるが、例えば浮きが遠くに流された場合、曇天等の釣りの場合には、細い棒ではかなり視認性が低下する。
【０００３】
すなわち、従来においては、釣り人が、釣り竿に取り付けた棒浮きを構成する浮き本体を利用して釣りを実施する際、当該釣り人は、棒浮き本体の上端におけるトップ部（棒浮き本体の先端部分）の揺動を視認して魚類のあたりが来たか否かを判断している。
【０００４】
ところで、従来の棒浮き形態の一種として、棒浮き本体の上端に、内部が開孔されている黒色のゴムチューブを配置・装着して、当該ゴムチューブの開孔部分に、個別に形成したトップ部（釣り行為の際、揺動を視認・確認して魚類のあたりが来たか否かを判断する部分）の下端を挿入し装着して使用する形態のものが存在している。
【０００５】
しかしながら、このゴムチューブが黒色だと、曇天等における周囲の光環境によっては、当該ゴムチューブの黒色部分でもって、あたりを取るのは困難であった（すなわち、釣り人に当該部分が見えないか、見難く、あたりが来たのか否かを当該ゴムチューブの部分でもって把握するのは困難であった）。
【０００６】
他方、このような棒浮きの場合においても、視認性の他に、水面（河川の水面や海の海面）に浮き自体が立設する際の起立安定性が求められることは、魚類のあたりの有無の正確な判断を行う際に当然に要求されることである。
【０００７】
特許文献１には、この種の棒浮きの例として、トップ部と、当該トップ部に連接して胴部を有し、この胴部の直径を前記トップ部の直径より大きくするとともに、喫水線を境にして前記トップ部側が水面上に突出する釣り用棒浮きにおいて、前記トップ部の直径より大きい径からなる一又は複数個の筒体が、当該筒体と前記トップ部のそれぞれの長さ方向の中心を同一にして長さ方向の上、下端で前記トップ部に接合固定され、前記トップ部が前記筒体の長さ方向の中心を貫通して有するとともに、前記筒体の内周面と、前記トップ部の外周面との間に空隙を有し、しかも、前記筒体の側面に複数個の貫通孔を有する釣り用棒浮きが提案されている。
【０００８】
しかし、特許文献１の釣り用棒浮きの場合、トップ部の外周面との間に空隙を形成するように複数個の貫通孔をトップ部と同心の筒体の側面に設け、貫通孔を通る光によって視認性を向上させる構成としており、このために、光環境（曇天等）によっては貫通孔を通る光は微弱で特に釣り人から棒浮きまでの距離が大きい場合には、視認性の向上に関してはかなり不十分であると推認される。
【先行技術文献】
【特許文献】
【０００９】
【特許文献１】特開２００７−３３０１６５号公報
【考案の概要】
【考案が解決しようとする課題】
【００１０】
本考案は、従来における上記事情に鑑み案出・創作されたものであり、魚類のあたり状態を視認性良く認識可能で、あたり状態の範囲を一層広げることができ、更には、風や水流の影響を受けにくく曇天等においても起立安定性に優れた釣り用棒浮きを提供するものである。
【課題を解決するための手段】
【００１１】
本考案に係る釣り用棒浮きは、釣り用棒浮きを構成する浮き本体と、この浮き本体の上部に装着する浮きトップ部と、を具備し、前記浮き本体の上端（換言すると、浮きトップ部の下端側に位置する部分）に蛍光色のゴムチューブからなる蛍光体筒部を配置したことを最も主要な特徴とする。
【考案の効果】
【００１２】
請求項１記載の考案によれば、浮きトップ部の下端側（浮き本体の上端）に蛍光色のゴムチューブからなる蛍光体筒部を配置したことによって、魚類のあたり状態を視認性良く認識可能としつつ、あたり状態の範囲（或いは、はば）を一層広げることができ、釣り行為時の棒浮き自体の揺動安定性の向上を図った優れた機能を発揮する釣り用棒浮きを実現し提供することができる。
【００１３】
請求項２記載の考案によれば、前記浮きトップ部の下端側（浮き本体の上端）に蛍光色のゴムチューブからなる蛍光体筒部を配置し、更に、浮き本体の上部側、及び下部側に錘部材をそれぞれ分離配置に仕込んだことにより、請求項１記載の効果に加えて、魚類のあたり状態を視認性良く認識可能であるとともに、風や水流の影響を受けにくく起立安定性に優れた釣り用棒浮きを実現し提供することができる。
【００１４】
請求項３記載の考案によれば、前記浮き本体及び浮きトップ部を太径型とした構成のもとに請求項１、２記載の考案と同様な効果を奏する釣り用棒浮きを実現し提供することができる。
【００１５】
請求項４記載の考案によれば、前記浮き本体及び浮きトップ部を細径型とした構成のもとに請求項１、２記載の考案と同様な効果を奏する釣り用棒浮きを実現し提供することができる。
【図面の簡単な説明】
【００１６】
【図１】図１は本考案の実施例に係る太径タイプの釣り用棒浮きの浮き本体に対して浮きトッ部を接続した状態を示す概略斜視図である。
【図２】図２は本実施例に係る釣り用棒浮きの浮き本体と、浮きトップ部とを分離状態とした概略斜視図である。
【図３】図３は本実施例に係る釣り用棒浮きの浮き本体と、浮きトップ部との接続部を分離配置で示す概略部分斜視図である。
【図４】図４は本実施例に係る釣り用棒浮きの浮き本体を示す部分拡大概略斜視図である。
【図５】図５は本考案の変形例に係る細径タイプの釣り用棒浮きの浮き本体に対して浮きトッ部を接続した状態を示す概略斜視図である。
【図６】図６は本変形例に係る釣り用棒浮きの浮き本体と、浮きトッブ部とを分離状態とした概略斜視図である。
【図７】図７は本変形に係る釣り用棒浮きの浮き本体と、浮きトップ部との接続部を分離配置で示す概略部分斜視図である。
【図８】図８は本変形例に係る釣り用棒浮きの浮き本体を示す部分拡大概略斜視図である。
【考案を実施するための形態】
【００１７】
本考案は、魚類のあたり状態を視認性良く認識可能で、あたり状態の範囲を一層広げることができ、更には、風や水流の影響を受けにくく曇天等においても起立安定性に優れた釣り用棒浮きを実現し提供するという目的を、釣り用棒浮きを構成する浮き本体と、この浮き本体の上部に装着する浮きトップ部と、を具備し、前記浮き本体の上端（浮きトップ部の下端側に位置する部分）に蛍光色のゴムチューブからなる蛍光体筒部を配置するとともに、前記浮き本体の下部側に錘部材を配置し仕込んだ構成により実現した。
【実施例】
【００１８】
以下、図面を参照して、本考案の実施例及び変形例に係る釣り用浮きについて詳細に説明する。
【００１９】
（実施例）
図１乃至図４を参照して本考案の実施例に係る釣り用棒浮き１について説明する。
【００２０】
図１乃至図４に示す本実施例に係る釣り用棒浮き１は、比較的太径（浮きトップ部３の黒色連結筒部３８の直径をφ１とする）の釣り用棒浮き１を構成する浮き本体２と、この浮き本体２の上部に装着する浮きトップ部３と、を具備し、前記浮き本体の上端（浮きトップ部の下端側に位置する部分）に蛍光色のゴムチューブからなる蛍光体筒部を配置するとともに、前記浮き本体２の下部側に錘部材を配置し仕込んだ構成としたものである。
【００２１】
以下、図１乃至図４に示す本実施例に係る釣り用棒浮き１について詳述する。
【００２２】
本実施例に係る釣り用棒浮き１の浮き本体２は、下端側に裁頭円錐体状の浮き本体下端部２０を具備する浮き本体筒部１６と、浮き本体下端部２０内に固定配置した例えば鉛を用いた錘部材１３と、浮き本体下端部２０の下端側に組み込んだ金属材又は合成樹脂材からなる糸通し具２１と、浮き本体筒部１６の上端に配置されて前記浮きトップ部３の下端が嵌着（着脱自在）可能なゴムチューブ（換言すると、ゴムハカマ）からなる例えばオレンジ色の蛍光体筒体部１１と、を具備している。
当該蛍光体筒体部１１の蛍光色は、オレンジ色の他、自在な色で形成できることは勿論である。
【００２３】
前記錘部材１３は、浮き本体２の風或いは水流に対する揺動安定性を図るためのものである。
【００２４】
前記浮きトップ部３は、浮きトップ部３の最上部に配置する透明トップ筒部３１と、透明トップ筒部３１の下端側に連設した例えばピンク色蛍光体筒部３２と、ピンク色蛍光体筒部３２の下端側に連設した例えば黒色連結筒部３３と、黒色連結筒部３３の下端側に連設した例えば黄色蛍光体筒部３４と、黄色蛍光体筒部３４の下端側に連設した例えば黒色連結筒部３５と、黒色連結筒部３５の下端側に連設した例えば緑色蛍光体筒部３６と、緑色蛍光体筒部３６の下端側に連設した例えば黒色連結筒部３７と、黒色連結筒部３７の下端側に連設されるとともに、前記浮き本体２におけるオレンジ色蛍光体筒体部１１内に真っすぐに嵌着される透明連結筒部３８と、を具備している。
【００２５】
上述した各色の部分に関しては、上述した各色の他、自在な色で形成できることは勿論である。
【００２６】
上述したように本実施例に係る釣り用棒浮き１は、前記浮きトップ部３の下端側に外部に表出する蛍光筒体部である緑色蛍光体筒部３６を配置するとともに、前記浮き本体２の下部側に錘部材１３を配置し仕込んだ構成としている。
【００２７】
前記錘部材１３としては、例えば糸鉛（糸状とした鉛材）を用いる例を挙げることができるが、これに限らず各種金属材等を採用することができる。
【００２８】
前記糸通し具２１に対しては、公知のように、例えばみち糸が挿通されて、その一方側にリール付きで、カーボン製又はグラスソリッド製又はＦＲＰ樹脂製又はグラスファイバー製等の釣り竿、浮き止め、セル玉等が配置され、また、他方側には、からまん棒、おもり、サルガン、ハリス、釣り針等が配置されて、釣り用仕掛けが構成される。
【００２９】
図３は、本実施例に係る釣り用棒浮き１の浮き本体２側の例えばオレンジ色とした蛍光体筒体部１１と、浮きトップ部３側の透明連結筒部３８との接続部Ｊ１を分離配置として示すものである。
【００３０】
本実施例に係る釣り用棒浮き１の場合、この接続部Ｊ１においては、浮き本体２側のオレンジ色の蛍光体筒体部１１内に、浮きトップ部３の下端側の黒色連結筒部３８をそのまま嵌着する構成としている。
【００３１】
この場合、接続部Ｊ１内に必要に応じて、図示しないがガン玉を収納し釣り用棒浮き１自体のさらなる揺動安定性を向上させるようにするようにしても良い。
【００３２】
ここに、ガン玉とは釣り用の金属製又は合成樹脂製の球状錘を意味する。
【００３３】
図４は、本実施例に係る釣り用棒浮き１における前記浮き本体２の糸通し具２１を含む浮き本体下端部２０の部分拡大状態を示すものである。
【００３４】
以上説明した本実施例に係る釣り用棒浮き１によれば、以下の効果を発揮する。
【００３５】
前記浮き本体の上端（浮きトップ部の下端側に位置する部分）に蛍光色のゴムチューブからなる蛍光体筒部１１を配置したとともに、前記緑色蛍光体筒部３６を採用することにより、当該蛍光色のゴムチューブからなる蛍光体筒部１１、緑色蛍光体筒部３７の部分が釣り人によく見えるので、自分の釣り用棒浮き１がどこにあるのかもわかり易く、当該緑色蛍光体筒部３７の部分でもって、曇天等の釣りの場合においても、あたりを取るのが容易となり、釣り人にとっては、浮き本体２の上端に装着される浮きトップ部３の上端部分で従来通りあたりの有無を判断することができるとともに、当該蛍光色のゴムチューブからなる蛍光体筒部１１、緑色蛍光体筒部３７の部分でも、あたりの有無を判断可能となることになり、このことから、あたりを取る幅が広がるという利点がある。
【００３６】
したがって、このように形成した本実施例に係る釣り用棒浮き１は、あたり感度を重視することにより、あたりを取る幅が広がることになり、小さなあたりでも見逃さないという効果を奏するものである。
【００３７】
（変形例）
次に、図５乃至図８を参照して、本考案の変形例に係る釣り用浮き１Ａについて説明する。
【００３８】
変形例に係る釣り用浮き１Ａは、実施例に係る釣り用棒浮き１に比べ、比較的細径タイプ（浮きトップ部３Ａの黒色連結筒部６５の直径をφ２とする。φ２＜φ１）に構成したものである。
【００３９】
図５乃至図８に示す変形例に係る釣り用棒浮き１Ａは、比較的細径の釣り用棒浮き１Ａを構成する浮き本体２Ａと、この浮き本体２Ａの上部に装着する浮きトップ部３Ａと、を具備し、前記浮きトップ部３Ａの下端側（釣り用棒浮き１Ａの上端）に外部に表出する蛍光筒体部を配置するとともに、前記浮き本体２Ａの上部側、及び下部側に錘部材を分離配置に仕込んだ構成としたしたものである。
【００４０】
図５乃至図８に示す変形例に係る釣り用棒浮き１Ａについて、以下に詳述する。
【００４１】
変形例に係る釣り用棒浮き１Ａの浮き本体２Ａは、下端側に裁頭円錐体状の浮き本体下端部５０を具備する浮き本体筒部４６と、浮き本体上端部４２内に固定配置した例えば糸鉛を用いた錘部材４３と、浮き本体下端部５０内に固定配置した例えば鉛を用いた錘部材４４と、浮き本体下端部２０の下端側に組み込んだ金属材又は合成樹脂材からなる糸通し具５１と、浮き本体筒部４６の上端に配置されて前記浮きトップ部３Ａが嵌着可能なゴムチューブ（換言すると、ゴムハカマ）からなる例えばオレンジ色蛍光体筒体部４１と、を具備している。
【００４２】
当該蛍光体筒体部４１の蛍光色は、オレンジ色の他、自在な色で形成できることは勿論である。
【００４３】
なお、前記錘部材４３は、樹脂製筒体４５の下端側に挿入した状態で、浮本体上端部４２内に固定配置している。また、樹脂製筒体４５の上端側にはグラスソリッド製の芯材４７を挿入している。
【００４４】
変形例に係る釣り用棒浮き１Ａの浮きトップ部３Ａは、浮きトップ部３Ａの最上部に配置する透明トップ筒部６１と、透明トップ筒部６１の下端側に連設したピンク色蛍光体筒部６２と、ピンク色蛍光体筒部６２の下端側に連設した黒色連結筒部６３と、黒色連結筒部６３の下端側に連設した黄色蛍光体筒部６４と、黄色蛍光体筒部６４の下端側に連設した黒色連結筒部６５と、黒色連結筒部６５の下端側に連設した色蛍光体筒部６６と、を具備し、後述する装着補助筒部６７を浮き本体２Ａにおけるオレンジ色蛍光体筒体部４１に嵌め込み、前記オレンジ色蛍光体筒部６６と、浮き本体２Ａのオレンジ色蛍光体筒体部４１に隣接させる構成としている。
【００４５】
上述した各色の部分に関しては、上述した各色の他、自在な色で形成できることは勿論である。
【００４６】
この場合に、比較的細径タイプの釣り用棒浮き１Ａにおいては、前記オレンジ色で構成した蛍光体筒部６６の肉厚が小（薄厚）となってしまうため、この釣り用棒浮き１Ａにおける接続部Ｊ２（図７に示す）としては、浮きトップ部３Ａ側において前記オレンジ色の蛍光体筒部６６をその内側に配置する装着補助筒部６７で補強する二重構造として、この二重構造部分を浮き本体２Ａにおけるオレンジ色の蛍光体筒体部４１に嵌着する構成を採用している。
【００４７】
前記接続部Ｊ２内に必要に応じて図示しないがガン玉を収納し釣り用棒浮き１Ａ自体のさらなる揺動安定性を向上させるようにするようにしてもよい。
【００４８】
図８は、変形例に係る釣り用棒浮き１Ａにおける浮き本体２Ａの糸通し具５１を含む浮き本体下端部５０の部分拡大状態を示すものである。
【００４９】
上述したように変形例に係る釣り用棒浮き１Ａは、前記浮きトップ部３Ａの下端側に外部に表出する蛍光筒体部である前記オレンジ色蛍光体筒部６６を配置するとともに、前記浮き本体２Ａの上部側、及び、下部側に錘部材である錘部材４３と、錘部材４４とを上下分離配置に仕込んだ構成としている。
【００５０】
前記錘部材４３としては、例えば糸鉛（糸状とした鉛材）を用いる例を挙げることができ、また、前記錘部材４４としては、例えば鉛を用いる例を挙げることができるが、本考案においてはこれらに限らず各種金属材等を採用することができる。
【００５１】
前記糸通し具５１に対しては、実施例の場合と同様、公知のように、例えばみち糸が挿通され、その一方側にリール付きで実施例の場合と同様な釣り竿、浮き止め、セル玉等が配置され、また、他方側にはからまん棒、おもり、サルガン、ハリス、釣り針等が配置されて、釣り用仕掛けが構成される。
【００５２】
以上説明した変形例に係る釣り用棒浮き１Ａによっても実施例の釣り用棒浮き１の場合と同様な効果を発揮させることができる。
【００５３】
なお、上述した実施例の釣り用棒浮き１において、前述したように、前記緑色蛍光体筒部３７の他に、任意の蛍光色（オレンジ色、ピンク色などの各種蛍光カラー色）を有する蛍光体筒部を採用することができる。
【００５４】
また、前述したように、前記ゴムチューブ（ゴムハカマ）からなるオレンジ色蛍光体筒体部１１の他に、任意の蛍光色（緑色、ピンク色などの各種蛍光カラー色）を有するゴムチューブからなる蛍光体筒体部を採用することができる。
【００５５】
変形例の釣り用棒浮き１Ａのオレンジ色蛍光体筒部６６、オレンジ色蛍光体筒体部４１に関しても同様である。
【００５６】
また、実施例の釣り用棒浮き１の場合の浮きトップ部３や変形例の釣り用棒浮き１Ａの浮きトップ部３Ａは、釣り目的とする魚の種類に応じて釣り目的別に取り換え使用することも可能である。
【００５７】
更に、上述した実施例の釣り用棒浮き１の場合、変形例に係る釣り用棒浮き１Ａの場合とも、蛍光体筒部以外の各装着筒部や装着筒体部等の浮き本体２、２Ａの着色態様は既述した場合に限定されるものではなく種々の変更実施が可能である。
【００５８】
この他、実施例の釣り用棒浮き１の場合のように前記透明連結筒部３８のような比較的太径の形成品の場合は、釣りトップ部３も割合太く形成されていることから、釣りトップ部３の下端部分をゴムチューブ（ゴムハカマ）からなるオレンジ色蛍光体筒体部１１の上端側からその内周に沿って嵌入すると、釣りトップ部３は抜け難くなる。
【００５９】
また、変形例の釣り用棒浮き１Ａの場合、オレンジ色蛍光体筒部６６のような比較的細い径の形成品の場合は、釣りトップ部３Ａも割合細く形成されていることから、釣りトップ部３Ａの下端部分を、ゴムチューブ（ゴムハカマ）からなるオレンジ色蛍光体筒体部４１の上端側からその内周に沿って嵌入すると釣りトップ部３Ａは抜け難くなる。
【産業上の利用可能性】
【００６０】
本考案に係る釣り用棒浮きは、海釣り、川釣り、湖釣りを問わず各種の釣り態様に応じて広範に利用可能である．
【符号の説明】
【００６１】
１    釣り用棒浮き
１Ａ  釣り用棒浮き
２    浮き本体
２Ａ  浮き本体
３    浮きトップ部
３Ａ  浮きトップ部
１１    蛍光体筒体部
１３    錘部材
１６    浮き本体筒部
２０    浮き本体下端部
２１    糸通し具
３１    透明トップ筒部
３２    ピンク色蛍光体筒部
３３    黒色連結筒部
３４    黄色蛍光体筒部
３５    黒色連結筒部
３６    緑色蛍光体筒部
３７    黒色連結筒部
３８    透明連結筒部
４１    オレンジ色蛍光体筒体部
４２    浮き本体上端部
４３    錘部材
４４    錘部材
４５    樹脂製筒体
４６    浮き本体筒部
４７    芯材
５０    浮き本体下端部
５１    糸通し具
６１    透明トップ筒部
６２    ピンク色蛍光体筒部
６３    黒色連結筒部
６４    黄色蛍光体筒部
６５    黒色連結筒部
６６    オレンジ色蛍光体筒部
６７    装着補助筒部
Ｊ１    接続部
Ｊ２    接続部
【図１】
0003233839.tif 000003
【図２】
0003233839.tif 000004
【図３】
0003233839.tif 000005
【図４】
0003233839.tif 000006
【図５】
0003233839.tif 000007
【図６】
0003233839.tif 000008
【図７】
0003233839.tif 000009
【図８】
0003233839.tif 000010